(57)【要約】      （修正有）【課題】バレーボール等に使用される競技用ネットに関して、ネットロープの張力を予め設定された適切な所定張力となるように調整する方法及びその調整のための支援装置を提供する。【解決手段】ネットロープが標準張力を保持し、ネットの中央上縁Sが所定高さHとされた状態で、中央上縁Sを所定下降距離Lだけ押下げたとき、中央上縁Sに生じる上向き力を標準引張荷重とする条件を設定する。ネットロープの張力調整は、ロープが目安の張力Tを保持し、ネットの中央上縁Sが所定高さHとされた状態で、中央上縁Sを所定下降距離Lに相当して下降させ、その状態のネットの中央上縁Sに生じる上向きの実測引張荷重RXを測定し表示する。実測引張荷重RXを標準引張荷重と比較し、表示された実測引張荷重RXが標準引張荷重となるまでネットロープに張力を加え又は張力を減じる。【選択図】図７
2014014578.tif 000002
【特許請求の範囲】
【請求項１】
競技用ネットを吊持するネットロープ(3)を支柱の間に架け渡すと共に、地面からネットの中央上縁(S)までの高さが競技規則で定められた所定高さ(H)となるように、ネットロープに目安の張力(T)を与えて緊張させ、その後、ネットロープの張力が所定の標準張力(N)となるように張力を調整する方法であり、
ネットロープ(3)が実際に前記標準張力(N)を保持し、ネットの中央上縁(S)が前記所定高さ(H)とされた状態で、前記中央上縁(S)を前記所定高さ(H)から所定下降距離(L)だけ押下げたとき、該中央上縁(S)に生じる上向き力を標準引張荷重(R)とする条件設定工程と、
ネットロープ(3)が前記目安の張力(T)を保持し、ネットの中央上縁(S)が所定高さ(H)とされた状態で、該中央上縁(S)を前記所定下降距離(L)に相当して下降させる押下工程と、
前記所定下降距離(L)だけ下降させたときのネットの中央上縁(S)に生じる上向きの実測引張荷重(RX)を測定し表示する測定工程と、
前記実測引張荷重(RX)を標準引張荷重(R)と比較する判定工程と、
表示された前記実測引張荷重(RX)が標準引張荷重(R)となるまでネットロープ(S)に張力を加え又は張力を減じる張力調整工程と、
から成ることを特徴とする競技用ネットにおけるネットロープの張力調整方法。
【請求項２】
地面から鉛直方向に起立自在なポール(10)を構成し、
前記ポール(10)は、下側の支持柱手段(11)に対して上側の移動柱手段(12)を上下移動自在に連結し、前記移動柱手段(12)に競技用ネットの中央上縁(S)に係止自在な係止手段(14)を設けており、
前記支持柱手段(11)と移動柱手段(12)の相互に、前記移動柱手段(12)を上動位置に保持する保持手段(33)と、該上動位置から下動する移動柱手段(12)の下動範囲を所定下降距離(L)とするように規制する下動規制手段(34)を設け、
前記係止手段(14)に作用する上向きの実測引張荷重(RX)を測定し表示する計測手段(43)を設けて成ることを特徴とする競技用ネットにおけるネットロープの張力調整支援装置。
【請求項３】
地面から競技用ネットの中央上縁(S)までの高さ(H)に関して、競技規則により複数種類の所定高さが定められている競技用ネットにおいて、
前記ポール(10)は、係止手段(14)の高さ位置を前記複数種類の所定高さに応じて設定可能とする高さ設定手段(17)を設けて成ることを特徴とする請求項２に記載の競技用ネットにおけるネットロープの張力調整支援装置。
【請求項４】
前記ポール(10)は、前記高さ設定手段(17)により係止手段(14)の高さ位置を設定した状態で、該係止手段(14)の位置を上下に調節可能とする高さ調節手段(24)を設けて成ることを特徴とする請求項３に記載の競技用ネットにおけるネットロープの張力調整支援装置。
【請求項５】
前記計測手段(43)は、前記係止手段(14)に設けられたセンサー(44)と、前記ポール(10)に設けられた計測器(45)とから成り、
前記係止手段(14)が受ける上向き引張荷重を前記センサー(44)により検知し、該センサーの検知信号に基づいて前記計測器(45)により実測引張荷重(RX)をリアルタイムで測定し表示するように構成して成ることを特徴とする請求項２、３又は４に記載の競技用ネットにおけるネットロープの張力調整支援装置。
【発明の詳細な説明】
【技術分野】
【０００１】
本発明は、バレーボールその他のネット競技に使用される競技用ネットに関して、ネットロープの張力を適切となるように調整する方法及びその調整のための支援装置を提供する。
【背景技術】
【０００２】
バレーボールやテニス等のネット競技においては、支柱の間に競技用ネットを吊持するネットロープを架け渡し、地面からネット中央部の上縁までの高さが競技規則で定められた所定高さとなるように、ネットロープに張力を与えて緊張させている。
【先行技術文献】
【特許文献】
【０００３】
【特許文献１】特開２０００−１５３０１０号公報
【特許文献２】特開平８−１９１９１０号公報
【発明の概要】
【発明が解決しようとする課題】
【０００４】
ネット競技のうち、例えば、バレーボールの場合、ネットの高さは、一般人及び大学生については男子243cm女子224cm、高校生については男子240cm女子220cm、中学生については男子230cm女子215cm、小学生については男子女子ともに200cmのように、コート規格に定められているが、ネットの張力に関しては、現在のところ、公式の取決めがなされていない。
【０００５】
このため、ネットを張設する際には、ネットロープに目安の張力を与えることにより緊張させ、ネット中央部の上縁が前記コート規格の高さとなるように調整している。
【０００６】
しかしながら、ネットロープ（スチール製の撚りワイヤーの場合と高分子製の撚りワイヤーの場合が含まれる）は、緊張させることによりネットを所定高さまで引き上げるが、ネットの上縁が直線的な水平状態になり難いため、過度に張力を与えてしまい、ネットロープの破断事故を生じる危険や、支柱を折曲損傷するおそれがある。
【０００７】
ところで、競技用ネットは、ネットロープに所定以上の張力を与えることで前記の所定高さに保持されるが、その状態からネットロープの張力を増した場合、ネットの高さは変化しないが、ネットロープの反発力が変化する。そこで、ネット競技は、相対する競技者が同じネット条件の下で競技するため、試合毎のネット条件の相違により対戦者の間に不公平を生じることはないが、前述のようなネットロープの反発力の大小によりボールの跳ね返りが変化し、このような跳ね返りボールの対処に関して競技者の技量が巧拙に影響するため、全試合を通じて、ネットロープの張力を一定に保持することが望ましい。
【課題を解決するための手段】
【０００８】
本発明は、上記課題を解決する競技用ネットにおけるネットロープの張力調整方法及び支援装置を提供するものであり、本発明によれば、ネットロープの張力は、ネットの高さを所定高さまで引き上げるために必要十分であるが、ネットロープを切断するおそれはなく、しかも、ボールの跳ね返りが一様とされる所定の反発力を有するように設定された所定の標準張力として定められ、競技に際してネットを張設するたびに、簡単な作業でネットロープの張力を標準張力となるように調整可能とする。
【０００９】
そこで、本発明のネットロープの張力調整方法が手段として構成したところは、競技用ネットを吊持するネットロープを支柱の間に架け渡すと共に、地面からネットの中央上縁までの高さが競技規則で定められた所定高さ(H)となるように、ネットロープに目安の張力(T)を与えて緊張させ、その後、ネットロープの張力が所定の標準張力(N)となるように張力を調整する方法であり、ネットロープが実際に前記標準張力(N)を保持し、ネットの中央上縁が前記所定高さ(H)とされた状態で、前記中央上縁を前記所定高さ(H)から所定下降距離(L)だけ押下げたとき、該中央上縁に生じる上向き力を標準引張荷重(R)とする条件設定工程と、ネットロープが前記目安の張力(T)を保持し、ネットの中央上縁が所定高さ(H)とされた状態で、該中央上縁を前記所定下降距離(L)に相当して下降させる押下工程と、前記所定下降距離(L)だけ下降させたときのネットの中央上縁に生じる上向きの実測引張荷重(RX)を測定し表示する測定工程と、前記実測引張荷重(RX)を標準引張荷重(R)と比較する判定工程と、表示された前記実測引張荷重(RX)が標準引張荷重(R)となるまでネットロープに張力を加え又は張力を減じる張力調整工程とから成る点にある。
【００１０】
また、本発明のネットロープの張力調整支援装置が手段として構成したところは、地面から鉛直方向に起立自在なポールを構成し、前記ポールは、下側の支持柱手段に対して上側の移動柱手段を上下移動自在に連結し、前記移動柱手段に競技用ネットの中央上縁に係止自在な係止手段を設けており、前記支持柱手段と移動柱手段の相互に、前記移動柱手段を上動位置に保持する保持手段と、該上動位置から下動する移動柱手段の下動範囲を所定下降距離(L)とするように規制する下動規制手段を設け、前記係止手段に作用する上向きの実測引張荷重(RX)を測定し表示する計測手段を設けて成る点にある。
【００１１】
本発明の装置は、バレーボールのように、地面から競技用ネットの中央上縁までの高さ(H)に関して、競技規則により複数種類の所定高さが定められている競技用ネットの場合、係止手段の高さ位置を前記複数種類の所定高さに応じて設定可能とする高さ設定手段を設けることが好ましい。
【００１２】
この際、前記高さ設定手段により係止手段の高さ位置を設定した状態で、該係止手段の位置を上下に調節可能とする高さ調節手段を設けることが好ましい。
【００１３】
本発明の好ましい実施形態において、前記計測手段は、前記係止手段に設けられたセンサーと、前記ポールに設けられた計測器とから成り、前記係止手段が受ける上向き引張荷重を前記センサーにより検知し、該センサーの検知信号に基づいて前記計測器により実測引張荷重(RX)をリアルタイムで測定し表示するように構成している。
【発明の効果】
【００１４】
本発明によれば、競技に際してネットを張設するたびに、簡単な作業でネットロープの張力を所望の標準張力Ｎとなるように調整することが可能であり、これによりネットを張設する際のネットロープの破断事故を防止することができ、しかも、競技毎にボールの跳ね返りが変化しない公正な競技を行わせることが可能となる。
【図面の簡単な説明】
【００１５】
【図１】ネット競技の１例としてのバレーボール競技に使用されるネットを例示的に説明する斜視図である。
【図２】本発明方法を説明しており、（Ａ）はサンプルネットにより条件を設定する方法を示す正面図、（Ｂ）は標準張力を保持したサンプルネットの中央上縁を押下げたときの所定下降距離と上向き引張荷重の関係を示す正面図、（Ｃ）は目安の張力により張設されたネットに本発明方法を実施する方法を示す正面図である。
【図３】本発明装置の１実施形態を示す斜視図である。
【図４】本発明装置の１実施形態を分解状態で示す斜視図である。
【図５】本発明装置の１実施形態の部分的断面を示しており、（Ａ）は支持柱手段に設けた高さ設定手段を示す断面図、（Ｂ）は保持手段と下動規制手段と高さ調節手段を示す断面図、（Ｄ）は係止手段及び計測手段のセンサーを示す断面図である。
【図６】本発明装置の使用状態を示し、無負荷状態としたネットと共に示す斜視図である。
【図７】本発明装置の使用状態を示し、負荷状態としたネットと共に示す斜視図である。
【発明を実施するための形態】
【００１６】
以下図面に基づいて本発明の好ましい実施形態を詳述する。
【００１７】
図１は、ネット競技の１例としてのバレーボール競技に使用されるネットを例示的に示している。ネット１は、上縁部に固着された袋状の帯体２にネットロープ３を挿通し、下縁部に固着された袋状の帯体４に補助ロープ５を挿通している。ネット１を張設する際は、支柱６、６の間にネットロープ３を架け渡し、目安の張力Ｔを与え緊張させることにより、地面（床面を含む。以下同じ。）からネット中央部の上縁（以下、中央上縁Ｓという。）までの高さが競技規則で定められた所定高さＨとなるまでネット１を引き上げる。
【００１８】
ネットロープ３の緊張に際しては、図例のようなウインチ７を使用する場合と使用しない場合があるが、ネットロープ３は、ネット１の中央上縁Ｓを所定高さＨまで引き上げた状態で、目安の張力Ｔを保持している。尚、補助ロープ５は、ネット１の下方で支柱６に連繋される。
【００１９】
ネットロープ３は、目安の張力Ｔでネット１を引き上げた状態で、本発明方法及び本発明装置により、その張力が所定の標準張力Ｎとなるように調整される。バレーボール用ネットの場合、標準張力Ｎ（ニュートン）は、ネット１の高さをコート規格に定められた所定高さＨまで引き上げるために必要十分であるが、ネットロープ３を切断するおそれがなく、しかも、ボールの跳ね返りが一様とされる所定の反発力を具備させることが可能な張力とすることが好ましい。
【００２０】
従って、本発明方法及び本発明装置は、以下、バレーボール用ネットに関して説明するが、本発明がバレーボール以外のネット競技におけるネットに関して実施可能なことは勿論であり、ネット条件に応じて標準張力Ｎを変更すると共に、下記の構成に準じながら装置を適宜変更すれば、種々のネット競技におけるネットに適用可能であることを諒解されたい。
【００２１】
＜本発明方法＞
図２は、本発明方法の原理を実施可能とするように示している。図２（Ａ）は、本発明の実施に関連する条件設定のためのサンプルネット１ａを示している。サンプルネット１ａは、ネットロープ３の張力を張力測定器具により予め設定された標準張力Ｎに保持し、中央上縁Ｓを前記所定高さＨに保持しており、この中央上縁Ｓの高さ方向の位置を第１位置Ｐ０とする。
【００２２】
そこで、この状態から、図２（Ｂ）に示すように、前記中央上縁Ｓに下向きの所定荷重Ｆを与え、ネットロープ３の撓みにより、中央上縁Ｓを第１位置Ｐ０から所定下降距離Ｌだけ押下げ、第２位置ＰＬまで下降させると、中央上縁Ｓに上向きの標準引張荷重Ｒが生じるので、所定下降距離Ｌと標準引張荷重Ｒの数値を条件として取得する（条件設定工程）。
【００２３】
本発明者らの実験によれば、バレーボール用ネットの場合、上述のようなネットロープ３の破断事故の防止と、ボールの跳ね返りが変化しない公正な競技を可能とする観点から、ネットロープ３の標準張力Ｎを２０００Ｎ（ニュートン）とすることが望ましく、２０００Ｎの張力を保持させた状態で、中央上縁Ｓに７kg（厳格に７kgではないが、ほぼ７kgに等しい、以下同じ。）の下向き荷重Ｆを与えて押下げると、中央上縁Ｓは１００mmだけ下降することが判明した。換言すれば、中央上縁Ｓに負荷を与え、１００mm下降させたとき、前記下向き荷重Ｆと釣り合う７kgの上向き引張荷重Ｒが作用している。
【００２４】
従って、ネットロープ３の標準張力Ｎを２０００Ｎとする場合のネットにおける条件設定は、１例として、前記所定下降距離Ｌの数値を１００mm、前記標準引張荷重Ｒを７kgとすることが可能である。尚、標準張力Ｎを２０００Ｎとするのは、バレーボールにおいて望ましいと考えられる１例であるから、それ以外の標準張力Ｎが望ましい場合は、個別に上述と同様の方法で所定下降距離Ｌと標準引張荷重Ｒの数値を条件として取得すれば良い。
【００２５】
図２（Ｂ）は、実際に張設されたネット１に関して、ネットロープ３が目安の張力Ｔにより緊張されている場合に対して、本発明方法を実施する例を示している。
【００２６】
ネット１は、目安の張力Ｔであっても中央上縁Ｓを所定高さＨとされた第１位置Ｐ０に位置させている。そこで、この状態から、例えばフック金具を係止することにより、中央上縁Ｓを予め条件設定された所定下降距離Ｌ（例えば１００mm）だけ下降させ（押下工程）、これにより負荷が与えられた中央上縁Ｓに実際に生じている上向きの実測引張荷重ＲＸを測定する（測定工程）。
【００２７】
測定した実測引張荷重ＲＸは、予め条件設定された標準引張荷重Ｒ（例えば７kg）と比較することにより、目安の張力Ｔが標準張力Ｎを下回るか又は上回るかを判定され（判定工程）、この判定に基づいて、前記実測引張荷重(RX)が標準引張荷重(R)となるまでネットロープ３に張力を加え又は張力を減じるようにウインチ７等を操作することにより、ネットロープ３の張力が標準張力Ｎとなるように調整される（張力調整工程）。
【００２８】
実測引張荷重ＲＸを測定するための手段は、例えば、フック金具に設けた歪みゲージ等から成るセンサーと、該センサーの検知信号に基づいて実測引張荷重ＲＸをリアルタイムで表示する計測器により構成することができる。これにより、ウインチ７等の操作によりネットロープ３の張力が増減されているとき、計測器に表示される実測引張荷重ＲＸの変化をリアルタイムで監視しながら、標準引張荷重Ｒに近づくように張力調整を行うことができる。張力調整の結果、計測器に表示された実測引張荷重ＲＸが標準引張荷重Ｒの許容範囲に達すると、ネットロープ３の張力が標準張力Ｎ又はその許容範囲内であると判断し、本発明方法を終了する。
【００２９】
＜本発明装置＞
図３ないし図５は、本発明装置の１実施形態を示している。装置は、地面から鉛直方向に起立自在とされるポール１０を構成し、下側の支持柱手段１１に対して上側の移動柱手段１２を上下移動自在に連結しており、前記支持柱手段１１は、下端部に支持脚１３を設け、前記移動柱手段１２は、上端部にフック１４ａから成る係止手段１４を設けている。
【００３０】
（支持柱手段）
前記支持柱手段１１は、支持脚１３に立設されたパイプ材から成る固定柱１５と、該固定柱１５に伸縮自在に嵌合されたパイプ材から成る連結柱１６を備え、伸縮長さを設定可能とする高さ設定手段１７を設けている。
【００３１】
（高さ設定手段）
図４及び図５に示すように、前記高さ設定手段１７は、固定柱１６の上端近傍部に内装された係脱手段１８と、連結柱１６の上下長手方向に間隔をあけて設けられた複数の係止孔１９により構成されている。前記係脱手段１８は、固定柱１６の直径方向に出没自在なピン２０を備え、該固定柱１６に内装されたほぼＶ形又はＵ形の板バネ等のバネ２１により前記ピン２０を突出方向に付勢しており、該ピン２０が連結柱１６を上下摺動したとき対応合致する係止孔１９に挿通され、摺動不能に係止する。
【００３２】
図例の場合、前記係止孔１９は、下から順に、高さＨ１ないしＨ７とされた７個所に設けられ、それぞれの高さＨ１ないしＨ７の係止孔１９にピンを係止したとき、地面からポール１０の上端フック１４ａの下側係止面までの高さが上述したバレーボールのコート規格に定められた７種類の高さ（小学生の200cm、中学生女子の215cm、高校生女子の220cm、一般女子の224cm、中学生男子の230cm、高校生男子の240cm、一般男子の243cm）に位置するように設定されている。
【００３３】
尚、ピン２０の先端は球面状に形成されており、係止孔１９に挿通された状態からピン２０の先端を押し込んで連結柱１６を摺動すると、ピン２０が没入することにより連結柱１６を摺動させ、ピン２０に対して所望位置の係止孔１９が対応合致すると、前記バネ２１により自動的に該係止孔１９に挿通される。
【００３４】
（移動柱手段）
前記移動柱手段１２は、下側のグリップ柱２２と上側の延長柱２３の間に高さ調節手段２４を介装し、延長柱２３の上端に前記係止手段１４を設けている。
【００３５】
（高さ調節手段）
図４及び図５に示すように、前記高さ調節手段２４は、ダイヤル状の回動部材２５の下側に円筒状のガイド筒部２６とボルト２７を同心状に突設し、上側に回動軸２８を同心状に突設している。
【００３６】
前記グリップ柱２２は、中空パイプ状に形成され、上端の円形開口部に前記ガイド部２６を回転自在かつ摺動自在に挿入させ、該グリップ柱２２の内部に回動不能に設けたナット２９に前記ボルト２７を螺合させている。
【００３７】
前記延長柱２３は、非円形断面とされたパイプ材から成り、下端部に半割状の軸受部材３０を内装すると共にビス３１により固着しており、該軸受部材３０により前記回動軸２８を軸支する。この際、軸受部材３０と回動軸２８は、相互に嵌合する周溝と周リブから成る嵌合部３２を形成しており、軸受部材３０と回動軸２８を相互に回動自在かつ摺動不能に軸支している。
【００３８】
従って、回動部材２５を回動することにより、ナット２９に対してボルト２５を進退移動させると、回動軸２８及び軸受部材３０と共に延長柱２３が上下動し、これにより係止手段１４の高さを調節することができ、高さの微調整を可能にする。
【００３９】
図示実施形態の場合、高さ調節手段２４は、回動部材２５からボルト２７を垂設し、回動させられるボルト２７を固定側のナット２９に対して上下動させるように構成しているが、これと反対に構成しても良く、例えば、下側の固定部材からボルトを立設し、回動部材２４と一体に回動させられるナットを前記ボルトに沿って上下動するように構成しても良い。
【００４０】
（保持手段及び下動規制手段）
前記支持柱手段１１の連結柱１６に対して、前記移動柱手段１２のグリップ柱２２は、上下移動自在に連結され、該移動柱手段１２を上動位置に保持する保持手段３３と、該上動位置から移動柱手段１２を下動させたときの下動範囲が所定下降距離Ｌとなるように規制する下動規制手段３４を設けている。
【００４１】
図４及び図５に示すように、グリップ柱２２は、下側に形成した筒部３５からスリーブ３６を垂設し、該スリーブ３６を連結柱１６の上端近傍部に摺動自在に外挿し、該連結柱１６の上端に設けた受座３７と前記ナット２９の間に介装された圧縮コイルスプリングから成る弾発付勢手段３８を内装している。
【００４２】
前記スリーブ３６を摺動自在に外挿する連結柱１６の両側には、上下方向に延びる所定長さのスリット３９が形成され、前記グリップ柱２２の筒部３５の直径方向に貫設したボルト等から成るストッパ４０を前記スリット３９に摺動自在に内嵌している。
【００４３】
従って、グリップ柱２２は、前記弾発付勢手段３８により上向きに付勢され、ストッパ４０がスリット３９の上端に係止した位置で保持され、これにより移動柱手段１２を上動位置に保持する保持手段３３が構成されている。
【００４４】
グリップ柱２２は、前記弾発付勢手段３８に抗して押下可能であり、ストッパ４０をスリット３９に摺動させることにより下動するが、ストッパ４０がスリット３９の下端に係止した位置で下動不能とされ、これによりグリップ柱２２の前記上動位置から下動位置までの下動ストロークを所定下降距離Ｌに規制する下動規制手段３４が構成されている。
【００４５】
図示実施形態の場合、上述のような標準張力Ｎを２０００Ｎとするバレーボールにおけるネットロープの張力調整を支援するため、所定下降距離Ｌは、１００mmに設定されている。しかしながら、それ以外の標準張力Ｎが望ましい場合は、それに応じて取得した所定下降距離Ｌの条件に対応するようにグリップ柱２２の下動ストロークの長さ寸法を設定すれば良い。また、複数の異なる標準張力Ｎに対応して使用可能な装置を提供する必要があるときは、複数の所定下降距離Ｌを選択できるように構成しても良い。
【００４６】
（計測手段）
前記フック１４ａから成る係止手段１４は、図５に示すように、キャップ４１を備え、該キャップ４１を延長柱２３の上端に被冠させ、ボルト・ナット等の固着具４２により固着されている。そこで、ポール１０は、前記係止手段１４に上向きの引張荷重が作用したとき、該荷重を計測し表示する計測手段４３を設けている。
【００４７】
図示実施形態の場合、前記計測手段４３は、係止手段１４に設けたセンサー４４と、延長柱２３に設けた計測器４５により構成されている。
【００４８】
前記センサー４４は、例えば、前記固着具４２とフック１４ａの間に形成された歪みゲージにより構成することができ、歪みによる電気抵抗値の変化によりフック１４ａに作用する引張荷重を検知し、該電気抵抗値の変化を検知信号とする。
【００４９】
前記計測器４５は、センサー４４の検知信号に基づいて、フック１４ａに微小荷重が作用したときの初期荷重から、その後、フック１４ａに顕著に作用する実測引張荷重ＲＸまでを継続的に検出し、ディスプレイ４６にリアルタイムで表示する。この際、計測器４５に信号発生手段４７を設け、初期荷重を検出したとき、信号発生手段４７から信号を発生するように構成することが好ましい。尚、信号発生手段４７は、発光信号を出力するＬＥＤ又はランプ等の発光手段や、音声等の音を出力する発音手段により構成することができる。
【００５０】
＜作用＞
上記構成のポール１０を使用することにより、バレーボール競技用ネットにおけるネットロープの張力を調整する方法を図６及び図７に示している。
【００５１】
図例の場合、ネットロープ３の標準張力Ｎを２０００Ｎ（ニュートン）、所定下降距離Ｌを１００mm、標準引張荷重Ｒを７kgに条件設定され、図６に示すように、張設されたネット１は、ネットロープ３が目安の張力Ｔを保持してほぼ水平に緊張され、中央上縁Ｓが所定高さＨとされた第１位置Ｐ０に位置している。
【００５２】
この際、前記所定高さＨは、バレーボールのコート規格に定められた７種類の高さ（小学生の200cm、中学生女子の215cm、高校生女子の220cm、一般女子の224cm、中学生男子の230cm、高校生男子の240cm、一般男子の243cm）から選択されている。
【００５３】
そこで、先ず、前記選択された所定高さＨに応じて、ポール１０の長さを高さ設定手段１７により設定する。上述のように高さＨ１〜Ｈ７に設けられた係止孔１９を選択し、係脱手段１８を係止すれば、ポール１０を地面から鉛直方向に起立させたとき、フック１４ａの下側係止面が前記所定高さＨに位置する。
【００５４】
この状態で、地面から起立したポール１０のフック１４ａをネット１の中央上縁Ｓに臨ませると、通常、自重によりネットロープ３の中央が下方に垂れるように湾曲しているので、フック１４ａの下側係止面が中央上縁Ｓよりも僅かに上位に位置する。尚、フック１４ａが中央上縁Ｓよりも大きく上位に位置する場合は、ネット１が所定高さＨとなるように張設されていないと判断されるので、ネットロープ３を締め直し、目安の張力Ｔを増加すれば良い。
【００５５】
フック１４ａの下側係止面を中央上縁Ｓよりも僅かに上位に位置させた状態で、高さ調節手段２４によりフック１４ａの高さ位置を微調整する。グリップ柱２２の上側に位置する回動部材２５を回動させると、該回動部材２５と共に延長柱２３が下降し、フック１４ａの下側係止面を中央上縁Ｓに当接し係止する。
【００５６】
この際、計測手段４３が初期荷重を検出し、信号発生手段４７から信号が発生されるので、回動部材２５の回動を止め、グリップ柱２２を押し下げる。
【００５７】
図７に示すように、グリップ柱２２は、下動規制手段３４により所定下降距離Ｌ（図示実施形態の場合１００mm）だけ下降し、これに追従するフック１４ａが中央上縁Ｓを所定下降距離Ｌだけ押下げ、下降した第２位置ＰＬに保持する。
【００５８】
これにより負荷が与えられた中央上縁Ｓに実際に生じている上向きの実測引張荷重ＲＸは、計測手段４３により測定され、計測器４５のディスプレイ４６にリアルタイムで表示される。
【００５９】
図示実施形態の場合、標準引張荷重Ｒが７kgとされているので、ディスプレイ４６に表示された実測引張荷重ＲＸが７kg未満のときは、ネットロープ３の張力Ｔを増加させ、反対に、ディスプレイ４６に表示された実測引張荷重ＲＸが７kgを超過するときは、ネットロープ３の張力Ｔを減少させ、実測引張荷重ＲＸが７kgとなるようにネットロープ３の張力を調整する。
【００６０】
ディスプレイ４６に表示する実測引張荷重ＲＸの表示形態は、実測値を示す数値でも良いが、標準引張荷重Ｒに対する差を示すプラス・マイナス表示でも良い。尚、ネットロープ３の張力調整により、実測引張荷重ＲＸが標準引張荷重Ｒの許容範囲に達したとき、信号発生手段４７から信号を発生するように構成することが好ましい。
【００６１】
張力調整の結果、計測器４５に表示された実測引張荷重ＲＸが標準引張荷重Ｒ又はその許容範囲に達すると、ネットロープ３の張力が標準張力Ｎ又はその許容範囲内であると判断できるので、作業を終了すれば良い。
【符号の説明】
【００６２】
１  ネット
１ａ  サンプルネット
２  帯体
３  ネットロープ
４  帯体
５  補助ロープ
６  支柱
７  ウインチ
１０  ポール
１１  支持柱手段
１２  移動柱手段
１３  支持脚
１４  係止手段
１４ａ  フック
１５  固定柱
１６  連結柱
１７  高さ設定手段
１８  係脱手段
１９  係止孔
２０  ピン
２１  バネ
２２  グリップ柱
２３  延長柱
２４  高さ調節手段
２５  回動部材
２６  ガイド筒部
２７  ボルト
２８  回動軸
２９  ナット
３０  軸受部材
３１  ビス
３２  嵌合部
３３  保持手段
３４  下動規制手段
３５  筒部
３６  スリーブ
３７  受座
３８  弾発付勢手段
３９  スリット
４０  ストッパ
４１  キャップ
４２  固着具
４３  計測手段
４４  センサー
４５  計測器
４６  ディスプレイ
４７  信号発生手段
【図１】
2014014578.tif 000003
【図２】
2014014578.tif 000004
【図３】
2014014578.tif 000005
【図４】
2014014578.tif 000006
【図５】
2014014578.tif 000007
【図６】
2014014578.tif 000008
【図７】
2014014578.tif 000009